(57)【要約】    【課題】  上に登る使用者に対する安全性が高いとともに、商品を安定して載置しうる段板を提供する。    【解決手段】  矩形板状の上板部の下面に、この上板部から垂下して上板部の全長を長手方向にのびる複数本のリブからなる補強リブ部を一体に設けた段板本体と、この段板本体の端部を覆うエッジキャップとからなり、前記エッジキャップは、前記段板本体の前記端部をなす前記上板部の端面、補強リブ部の端面を少なくとも覆う端基板部と、該端基板部から段板本体側に突出し、前記補強リブ部と係合してこのエッジキャップを保持し抜け落ちを防ぐ係止部とを具えるとともに、前記端基板部は、その上端を、前記段板本体の上板部上面に整一させたことを特徴とする。【選択図】  図３
2006283451.tif 000002
【特許請求の範囲】
【請求項１】
矩形板状の上板部の下面に、この上板部から垂下して上板部の全長を長手方向にのびる複数本のリブからなる補強リブ部を一体に設けた段板本体と、この段板本体の端部を覆うエッジキャップとからなり、
前記エッジキャップは、前記段板本体の前記端部をなす前記上板部の端面、補強リブ部の端面を少なくとも覆う端基板部と、該端基板部から段板本体側に突出し、前記補強リブ部と係合してこのエッジキャップを保持し抜け落ちを防ぐ係止部とを具えるとともに、
前記端基板部は、その上端を、前記段板本体の上板部上面に整一させたことを特徴とする段板。
【請求項２】
前記エッジキャップは、前記補強リブ部とともに前記上板部とも係合することにより抜け止めされることを特徴とする請求項１記載の段板。
【請求項３】
前記補強リブ部は、前記段板本体の両側縁に設ける外のリブと、外のリブの間に配された複数本の内のリブと、段板配置時の位置ずれを防止する孔部を有する位置ずれ防止部を形成するための少なくとも１つの位置決め用リブとを含むことを特徴とする請求項１又は２記載の段板。
【請求項４】
前記外のリブは、上板部下面から垂下する垂下壁部の外向き面に長さ方向に連続する係止溝を有し、前記内のリブは、上板部下面から垂下する第１のウエブ下端に水平な第１のフランジを具えるとともに、前記位置決め用リブは、上板部下面から垂下する第２のウエブ下端に巾方向に張り出す第２のフランジを具えたことを特徴とする請求項１〜３のいずれかに記載の段板。
【請求項５】
前記係止部は、前記端基板部から突出し、前記外のリブの前記係止溝に嵌入する嵌入片と、前記第１のウエブを挟持する挟持片と、前記位置決め用リブの第２のウエブを挿入する溝部の下端で前記第２のフランジを挟む上下の支持片とからなり、
かつ上下の支持片に前記位置ずれ防止部の孔部をなす透孔を設けたことを特徴とする請求項４記載の段板。
【請求項６】
前記位置ずれ防止部は、前記位置決め用リブの第２のウエブを挿入する溝部に、前記透孔と位置合わせすることにより前記孔部を形成でき、かつ内周面に切込みを設けた貫通孔を穿設したゴム板を設けることを特徴とする請求項１〜５のいずれかに記載の段板。
【請求項７】
矩形板状の上板部の下面に、この上板部から垂下して上板部の全長を長手方向にのびる複数本のリブからなる補強リブ部を一体に設けた段板本体と、この段板本体の端部を覆うエッジキャップとからなり、
前記上板部の上面に、上板部の全長を長手方向にのび、かつ表面を粗に形成した滑り止めテープを貼着したことを特徴とする段板。
【発明の詳細な説明】
【技術分野】
【０００１】
本発明は、段板本体のエッジが露出することがなく、かつ端部に段差がないため安全に使用できる段板に関する。
【背景技術】
【０００２】
写真撮影用のひな壇、運動競技、パレードなど見学用の観覧席、各種イベント、演説、歌劇などを催すためのステージ、朝礼台のほか、商品陳列、保管用の棚など様々の用途に使用する段部を構成するため、各種形状の架台に横長の段板を架け渡した構造が用いられる。そして使用期間が限定され、或いは解体され移動して繰り返し使用する仮設用途においては、特に軽量化、簡便な取り扱い性が求められるため押し出し成形された型板を定尺に切断した段板が汎用されている。
【０００３】
しかし、これらの型板は、露出した切断端部が、硬く、かつ尖っているため、手足が触れると怪我し易く危険である。そのため図１０、１１に示すように、切断端部にプラスチックなどを溝型状に成形したエンドキャップｂを嵌着して、安全性を高めることが提案されている（例えば、特許文献１参照）。
【０００４】
【特許文献１】特開平１０−２１７３号公報
【発明の開示】
【発明が解決しようとする課題】
【０００５】
しかしながら、溝型状のエンドキャップｂを嵌着した段板ａの端部は、エンドキャップｂの肉厚ｔ分の段差が形成され、その上に登った使用者が蹴躓いて転倒したり、更には段板ａから落下する恐れがある。特に複数枚の段板ａを縦に並べて使用する場合、その段板ａの上を歩行する使用者は、履物の爪先を引っ掛けて転倒し易いという問題がある。
【０００６】
またこの種の段板ａを、商品陳列、商品保管の棚として用いる際、片側をエンドキャップｂ上に載置した商品は、のり上げた側が前記肉厚ｔの高さ分浮き上がるため、傾いて陳列され見栄えが低下するという問題がる。更には、略中央部がエンドキャップｂ上に載った商品は、その箇所を支点として左右に揺動し易いため、ガタツキ音を生じたり、その商品が操作を行うものである場合、取り扱いがやり難いという問題が生じる。
【０００７】
本発明は、エッジキャップの、前記段板本体の前記端部をなす前記上板部の端面、補強リブ部の端面を覆う端基板部は、その上端を、前記段板本体の上板部上面に整一させたことを基本とし、その上に登る使用者に対する安全性が高いとともに、商品を安定して載置しうる段板の提供を課題としている。
【課題を解決するための手段】
【０００８】
前記目的を達成するために、請求項１に係る発明は、矩形板状の上板部の下面に、この上板部から垂下して上板部の全長を長手方向にのびる複数本のリブからなる補強リブ部を一体に設けた段板本体と、この段板本体の端部を覆うエッジキャップとからなり、前記エッジキャップは、前記段板本体の前記端部をなす前記上板部の端面、補強リブ部の端面を少なくとも覆う端基板部と、該端基板部から段板本体側に突出し、前記補強リブ部と係合してこのエッジキャップを保持し抜け落ちを防ぐ係止部とを具えるとともに、前記端基板部は、その上端を、前記段板本体の上板部上面に整一させたことを特徴とする。
【０００９】
請求項２に係る発明では、前記係止部は、前記補強リブ部とともに前記上板部とも係合することによりエッジキャップは抜け止めされ、また請求項３に係る発明においては、前記補強リブ部は、前記段板本体の両側縁に設ける外のリブと、外のリブの間に配された複数本の内のリブと、段板配置時の位置ずれを防止する孔部を有する位置ずれ防止部を形成するための少なくとも１つの位置決め用リブとを含むことを特徴とする。
【００１０】
請求項４に係る発明では、前記外のリブは、上板部下面から垂下する垂下壁部の外向き面に長さ方向に連続する係止溝を有し、前記内のリブは、上板部下面から垂下する第１のウエブ下端に水平な第１のフランジを具えるとともに、前記位置決め用リブは、上板部下面から垂下する第２のウエブ下端に巾方向に張り出す第２のフランジを具え、また請求項５に係る発明において、前記係止部は、前記端基板部から突出し、前記外のリブの前記係止溝に嵌入する嵌入片と、前記第１のウエブを挟持する挟持片と、前記位置決め用リブの第２のウエブを挿入する溝部の下端で前記第２のフランジを挟む上下の支持片とからなり、かつ上下の支持片に前記位置ずれ防止部の孔部をなす透孔を設けたことを特徴とする。
【００１１】
請求項６に係る発明では、前記位置ずれ防止部は、前記位置決め用リブの第２のウエブを挿入する溝部に、前記透孔と位置合わせすることにより前記孔部を形成でき、かつ内周面に切込みを設けた貫通孔を穿設したゴム板を設けることを特徴とする。
【００１２】
請求項７に係る発明は、矩形板状の上板部の下面に、この上板部から垂下して上板部の全長を長手方向にのびる複数本のリブからなる補強リブ部を一体に設けた段板本体と、この段板本体の端部を覆うエッジキャップとからなり、前記上板部の上面に、上板部の全長を長手方向にのび、かつ表面を粗に形成した滑り止めテープを貼着したことを特徴とする。
【発明の効果】
【００１３】
請求項１に係る発明は、段板本体の固く尖った段板本体の端部は、エッジキャップの端基板部に覆われて、人体が触れることがないため、段板に登る使用者、段板を組立分解する作業者などが怪我をすることを防止でき、安全性が確保される。そしてエッジキャップは、段板本体の上面より上に突出することがなく、複数枚を並べて使用する場合でもフラットな面が形成される。そのため、上に登った使用者が蹴躓いて、転倒したり、落下することがなく、安全に使用できる。また物品の陳列用、保管用の棚として使用する際、フラットな面上に安定した姿勢で載置されるため、整ったディスプレイを演出できるとともに、ガタツキを生じることがなく、また、棚上で対象品を操作する場合にも取り扱い性を損ねることがない。
【００１４】
請求項２に係る発明において、エッジキャップは、安定して取り付けできるため、脱落が防止でき、請求項３に係る発明のように構成すると、補強リブ部により充分な曲げ剛性が得られるとともに、位置決め用リブにより段板を安定して設置でき、また請求項４に係る発明では、第１、第２のウエブにより段板の曲げ強度が補強され、かつ第１、第２のフランジにより形成される水平な載置面により安定した設置が可能となる。
【００１５】
請求項５に係る発明では、挟持片が第１のウエブを挟持することによりエッジキャップの水平方向へのズレが防止されるとともに、上下の支持片が第２のフランジを挟持することにより上下方向へのズレが防止されるため、エッジキャップを安定して装着できる。また段板は、位置決めピンが挿入される透孔により位置ずれが防止され、安定して取り付けしうる。
【００１６】
請求項６に係る発明においては、ゴム板は、貫通孔に嵌合された位置決めピンを把持して抜け止めし、これにより段板は脱落が防止され、安定した設置状態を維持できる。
【００１７】
請求項７に係る発明においては、段板本体の長手方向全長に亘り貼着された滑り止めテープによって、上板部上面の滑りが抑制されてるため、特に降雨時に使用する場合などに、上に乗る使用者が滑って転倒、或いは落下することを防止でき、安全性を向上しうる。
【発明を実施するための最良の形態】
【００１８】
以下、本発明の実施の一形態を、図示例とともに説明する。段板１は、写真撮影用のひな壇、運動競技、パレードなど見学用の観覧席、各種イベント、演説、歌劇などを催すためのステージ、朝礼台のほか、商品陳列、保管用の棚その他の段部を形成する際に使用され、図２に示すように、矩形板状の段板本体３２と、この段板本体３２の端部を覆うエッジキャップ３３とからなる。本形態では、図１に示すように、平行に配される側フレーム５、及びこの側フレーム５を折り畳み可能に結合する継ぎ部材３からなる支持枠体６上に、両端を支持させて使用する場合を例示しているが、床面上の溝を跨いで架け渡すなど、構築物に直接支持させて使用することもできる。
【００１９】
前記段板本体３２は、図２に示すように、フラットな長矩形状の上板部３０と、この上板部３０の下部に設けた補強リブ部３１とからなる。前記上板部３０は、その上面に長手方向にのび巾方向に隔設された滑り防止用の複数本の浅溝６１を有する。そして長さが例えば、５００〜２０００ｍｍ程度、好ましくは７００〜１５００ｍｍ、本形態では９００ｍｍとしている。また巾は例えば、１５０〜９００ｍｍ程度、好ましくは２００〜５００ｍｍ、本形態では３００ｍｍとしている。なお上板部３０は、朝礼台などの用途では、正矩形状に形成することもよい。
【００２０】
前記上板部３０は、その上面に滑り止めテープ５５が貼着される。この滑り止めテープ５５は、上板部３０の全長を長手方向にのびて設けられ、本形態では中央部及び両側部に、合計３列の滑り止めテープ５５が貼着される。この滑り止めテープ５５は、テープ巾が例えば、２０〜２００ｍｍ程度、好ましくは３０〜１５０ｍｍ、本形態では５０ｍｍのものが用いられる。また滑り止めテープ５５は、ポリエステル、アルミホイルその他のテープ基材に、リシンなど粗面を形成する多数の粒子を含む樹脂層を被覆したものを好適に使用でき、例えば日東電工株式会社のアンチスキッドテープ（登録商標）を採用しうる。前記滑り止めテープ５５によって、上板部上面の滑りが抑制され、特に降雨時に使用する場合でも、上に乗る使用者が滑って転倒したり、段板から落下することを防止でき、安全性を高めることができる。
【００２１】
前記補強リブ部３１は、上板部３０の下面から垂下し、上板部３０の全長を長手方向にのび、かつ巾方向に隔設された複数本のリブを含み構成される。そしてこのリブは、両側部に配置される一対の外のリブ３６と、この外のリブ３６の間に配置される複数本の内のリブ３７と、位置決め用リブ３９とを含み構成される。
【００２２】
前記外のリブ３６は、図３、５に示すように、前記上板部３０の両側部が下方へ折れ曲がることにより形成され、前記上板部３０の下面両側縁から垂下した垂下壁状をなす。そして前記垂下壁部の外向き面には、長さ方向に連続する浅い係止溝４１が形成される。
【００２３】
前記位置決め用リブ３９は、上板部３０下面から垂下する第２のウエブ４４とこの第２のウエブ４４下端から巾方向に張り出す第２のフランジ４５とからなり、断面略逆Ｔ字状をなす。この位置決め用リブ３９は、前記外のリブ３６の間で少なくとも１つが形成される。そして本形態では、外のリブ３６の内側に各々隣接して一対の位置決め用リブ３９が設けられ、しかも各第２のフランジ４５は、外側に向けて大きく張り出すとともに端部に挿通孔６２を穿設した広鍔部６３が形成されている。
【００２４】
前記内のリブ３７は、上板部３０下面からから垂下する第１のウエブ４２とこの第１のウエブ４２下端から巾方向に張り出す水平な第１のフランジ４３とからなり、断面略逆Ｔ字状をなす。この内のリブ３７は、複数本が前記位置決め用リブ３９の間に等間隔に隔設される。
【００２５】
前記外、内のリブ３６、３７及び位置決め用リブ３９は、本形態では、上板部３０からの垂下長さが整一に形成される。しかも内のリブ３７及び位置決め用リブ３９は、下端に水平な第１、第２のフランジ４３、４５を有するため、段板本体３２は、架台などの上に安定した状態で載置できる点で好ましい。またこれらリブの垂下寸法は、例えば、５〜５０ｍｍ程度、好ましくは１０〜３０ｍｍ、本形態では２０ｍｍとしている。
【００２６】
また、前記上板部３０、外、内のリブ３６、３７及び位置決め用リブ３９は、本形態では、アルミニウム、或いは非フタル酸系塩化ビニル樹脂（ＡＴＢＣ−ＰＶＣ）、ポリエチレン樹脂、ポリプロピレン樹脂、ポリスチレン樹脂、ＡＢＳ樹脂などのプラスチックを用いて押し出し成形により一体に形成される。このように段板本体３２と一体に形成された補強リブ部３１は、段板本体３２の曲げ剛性を向上させ、薄く軽量に構成されても強い曲げ強度が得られる。
【００２７】
前記エッジキャップ３３は、図３、５に示すように、直立板状の端基板部３４と、この端基板部３４から前記段板本体３２に向かって突出する係止部３５とを具える。また本形態のエッジキャップ３３は、前記端基板部３４から段板本体３２に向けてのび、前記位置決め用リブ３９を挿入する大巾の溝部６４と、前記内のリブ３７を挿入する小巾の溝部６５と、前記外のリブ３６の内側に沿い下端が外向きに折れ曲がる断面略Ｌ字状の外片６６と、これらの上部間を水平につなぐ上片６７とからなる波状の脈板部６８を有する。なお前記エッジキャップ３３は、非フタル酸系塩化ビニル樹脂（ＡＴＢＣ−ＰＶＣ）、ポリエチレン樹脂、ポリプロピレン樹脂、ポリスチレン樹脂、ＡＢＳ樹脂、ポリエチレンテレフタレート（ＰＥＴ）、フェノール樹脂、メラミン樹脂、ユリア樹脂、不飽和ポリエステル樹脂、エポキシ樹脂などを用いて一体成形することができる。
【００２８】
前記端基板部３４は、図５に示すように、上板部３０の端面を覆う帯状の上継ぎ部３４Ａと、この上継ぎ部３４Ａから垂下して、前記外、内のリブ３６、３７及び位置決め用リブ３９の端面を覆って櫛歯状に垂下する複数の垂下面部３４Ｂとからなる。このように、段板本体３２の固く尖った端部は、上板部３０、補強リブ部３１が各々上継ぎ部３４Ａ、の垂下面部３４Ｂにより覆われるため、人体に触れることがなく、その結果段板１上に登る使用者、段板１を用いた組立作業或いは解体作業を行なう作業者が誤って怪我をする危険性が抑制されて、安全に使用できる。
【００２９】
しかも端基板部３４は、その上端が上板部３０の上面と整一に形成される。従って図４、６に示すように、その上面は全くフラットに形成され、エッジキャップ３３が段板本体３２の上面よりも上に突出して、段板本体３２の端部に段差を生じることがない。そのため、例え段板１を複数枚縦に連続させた場合でも、その継ぎ目を含めた全長に亘ってフラットな面が形成され、その結果、上に登った使用者が蹴躓いて転倒したり、落下事故を起こすことがなく、安全に使用できる。また店舗、倉庫において、段板１を物品の陳列、保管の棚として使用する場合には、フラットな棚の上に安定した姿勢で載置できるため、整然としたディスプレイを演出できるとともに、ガタツキを生じることはなく、また、電気機器類などを載せて棚上で操作する場合にも安定して取り扱いできる。
【００３０】
前記係止部３５は、段板本体３２の補強リブ部３１と係合してエッジキャップ３３を保持して抜け落ちを防止するものであり、本形態では図３に示すように、前記端基板部３４の両端部から段板本体３２に向かって突出する嵌入片４６と、端基板部３４に隔設された挟持片４７と、前記大巾の溝部６４の下端に形成される上下の支持片４９とからなる。
【００３１】
前記嵌入片４６は、段板本体３２の係止溝４１の内寸と略同大に形成されるとともに、上下に小長さの縁片６９、６９が形成される。他方前記係止溝４１には、その開口縁に内側へのびる小リップ７０、７０が形成され、図７に示すように、嵌入片４６が係止溝４１に嵌入されると、前記縁片６９と、小リップ７０とが係合して抜け止めされる。これによりエッジキャップ３３の両端部が段板本体３２に確り取り付けられ、その結果たとえ段板１の角部が何かに衝突しても、エッジキャップ３３の端部が外れて、抜け落ちることが阻止される点で好ましい。
【００３２】
前記挟持片４７は、図３、７に示すように、端基板部３４の垂下面部３４Ｂから前記小巾の溝部６５内へ小長さでのびて形成される。この挟持片４７は、図７、８（Ｃ）に示すように、嵌合した前記第１のウエブ４２を挟持することにより、エッジキャップ３３の水平方向のズレを防止するとともに抜け落ちを阻止している。
【００３３】
前記上下の支持片４９は、本形態では図３、７に示すように、前記大巾の溝部６４の底面からなる下の支持片４９Ｄと、前記大巾の溝部６４の側壁から水平にのびた上の支持片４９Ｕとを含み構成されたものを例示している。そしてこの上下の支持片４９は、図７、８（Ａ）に示すように、嵌合した第２のフランジ４５の広鍔部６３を挟持することにより、エッジキャップ３３の上下方向へのズレを防止するとともに抜け落ちを阻止している。このように本形態では、前記挟持片４７と、上下の支持片４９とが、補強リブ部３１を挟持するとともに縦横両方向のズレを阻止しているため、エッジキャップ３３が安定して装着される。
【００３４】
また前記エッジキャップ３３の脈板部６８を構成する上片６７は、図７、図８（Ｂ）に示すように、段板本体３２の上板部３０下面に当接して配される。従って、エッジキャップ３３は、段板本体３２の外、内のリブ３６、３７及び位置決めリブ３９を含む補強リブ部３１と係合するとともに、上片６７が段板本体３２の上板部３０に当接係合して抜け止めされるため、使用中及び組立、解体作業において外力が作用しても段板本体３２から脱落することがない点で好ましい。
【００３５】
なお前記上下の支持片４９Ｕ、４９Ｄには、図３に示すように、上下に並んだ透孔５１、５１が形成される。また大巾の溝部６４の上部には、前記上の支持片４９Ｕと平行にのびる鍔片７１が形成され、この鍔片７１と前記上の支持片４９Ｕとの間には、直方体状のゴム板５４が挿入される。該ゴム板５４には、内周面に放射方向に配される複数の切込み５２を設けた縦の貫通孔５３が穿設されている。なおゴム板５４は、非フタル酸系塩化ビニル樹脂（ＡＴＢＣ−ＰＶＣ）のほか、クロロプレンゴム( ＣＲ）、スチレン・ブタジエンゴム（ＳＢＲ）、イソプレンゴム（ＩＲ）などのゴム、スチレン系・オレフィン系・ウレタン系・ポリエステル系その他の熱可塑性エラストマー、エチレン酢酸ビニル共重合体（ＥＶＡ）などを用いて形成される。特に非フタル酸系塩化ビニル樹脂（ＡＴＢＣ−ＰＶＣ）は、安全性が高い点で好ましい。
【００３６】
本形態の段板本体３２は、図７、８（Ａ）に示すように、前記貫通孔５３と、上下の支持片４９に形成された透孔５１と、第２のフランジ４５の広鍔部６３に形成された挿通孔６２とが上下に並んで配置され、これら複数の孔によって上下に連通する孔部５０が形成される。また前記支持枠体６には、段板１を載置する受部２に位置決めピン２４が立設されている。そして、前記孔部５０は、図７、８（Ａ）に示すように、前記位置決めピン２４が挿入されることにより、段板１が設置される位置が定まり、かつ上に乗る使用者が動くなどして外力が作用する場合にも、位置ずれが防止される点で好ましい。しかも前記ゴム板５４は、その貫通孔５３に嵌合される位置決めピン２４を把持することにより抜け止めし、その結果段板１は脱落が防止され、設置された状態を安定的に維持して安全に使用できる点で好ましい。本形態では、前記孔部５０、及びゴム板５４を含み、位置ずれ防止部３８が構成される。
【００３７】
なお、段板１を前記支持枠体６上に架け渡して使用する際、図９（Ａ）に示すように、複数個の支持枠体６を段板７の長さ寸法と略同じ間隔で横方向に配置し、段板１を受部２に隙間なく連続して載置すると、横に長く続く段を形成できる。また段板７が連続しない受部２には、図９（Ｂ）に示すように、段板１と同厚に形成された角棒状のエッジカバー８７を装着すると、段板１端部の段落ち部を塞いで躓きを防止できる点で好ましい。
【００３８】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００３９】
【図１】本発明の一実施の形態の使用状態を例示する斜視図である。
【図２】その分解斜視図である。
【図３】その要部の拡大斜視図である。
【図４】同上要部のエッジキャップを取り付けた状態の拡大斜視図である。
【図５】異なる要部を拡大した分解斜視図である。
【図６】同上要部のエッジキャップを取り付けた状態の拡大斜視図である。
【図７】図４のＸ−Ｘ断面図である。
【図８】（Ａ）（Ｂ）（Ｃ）は、そのＡ−Ａ、Ｂ−Ｂ、Ｃ−Ｃ断面図である。
【図９】（Ａ）は他の使用状態を例示する断面図であり、（Ｂ）は更に他の使用状態を例示する断面図である。
【図１０】従来例を例示する分解斜視図である。
【図１１】その要部拡大図である。
【符号の説明】
【００４０】
１      段板
３０      上板部
３１      補強リブ部
３２      段板本体
３３      エッジキャップ
３４      端基板部
３５      係止部
３６      外のリブ
３７      内のリブ
３８      位置ずれ防止部
３９      位置決め用リブ
４０      垂下壁部
４１      係止溝
４２      第１のウエブ
４３      第１のフランジ
４４      第２のウエブ
４５      第２のフランジ
４６      嵌入片
４７      挟持片
４８      溝部
４９      上下の支持片
５０      孔部
５１      透孔
５２      切込み
５３      貫通孔
５４      ゴム板
５５      滑り止めテープ
【図１】
2006283451.tif 000003
【図２】
2006283451.tif 000004
【図３】
2006283451.tif 000005
【図４】
2006283451.tif 000006
【図５】
2006283451.tif 000007
【図６】
2006283451.tif 000008
【図７】
2006283451.tif 000009
【図８】
2006283451.tif 000010
【図９】
2006283451.tif 000011
【図１０】
2006283451.tif 000012
【図１１】
2006283451.tif 000013